(57)【要約】【課題】安価であり、かさばらず、かつ情報伝達効果が長続きするカード兼用ケース２の提供。【解決手段】カード兼用ケース２は、背板４、底板６、左右一対の側板８、前板１０、内板１２及び左右一対の差し込み板１４を備えている。底板６及び側板８が背板４から起立し、前板１０が底板６から起立し、内板１２が前板１０から折り返され、差し込み板１４が前板１０と内板１２とに挟まれることにより、カード兼用ケース２がケース状を呈する。底板６及び側板８が背板４から折り返され、前板１０が底板６から延ばされ、内板１２が前板１０から折り返され、差し込み板１４が側板８から延ばされ、内板１２が背板４と側板８とに挟まれ、側板８及び差し込み板１４が前板１０と内板１２とに挟まれることにより、カード兼用ケース２がカード状を呈する。【選択図】図１
2008056263.tif 000002
【特許請求の範囲】
【請求項１】
背板と、この背板に連続する底板及び一対の側板と、この底板に連続する前板と、この前板に連続する内板と、それぞれが側板に連続する一対の差し込み板とを備えており、
底板及び側板が背板から起立し、前板が底板から起立し、内板が前板から折り返され、差し込み板が前板と内板とに挟まれることにより、ケース状を呈し、
底板及び側板が背板から折り返され、前板が底板から延ばされ、内板が前板から折り返され、差し込み板が側板から延ばされ、内板が背板と側板とに挟まれ、側板及び差し込み板が前板と内板とに挟まれることにより、カード状を呈するように構成されたカード兼用ケース。
【発明の詳細な説明】
【技術分野】
【０００１】
本発明は、カードとしてもケースとしても利用されうるカード兼用ケースに関する。
【背景技術】
【０００２】
広告宣伝手段として、チラシが広く用いられている。チラシは、情報伝達媒体である。チラシには、商品名、商品の特徴、価格等が記載されている。このチラシは、例えば街頭で配布される。配布を受けた通行人は、このチラシを見て商品の内容を理解する。このチラシにより、商品の販売促進が図られる。
【発明の開示】
【発明が解決しようとする課題】
【０００３】
通行人の中には、チラシを受け取らない者も多い。受け取り率を高める目的で、ティッシュペーパー等の販売促進品とセットでチラシが配布されることもある。しかし、セットでの配布でも、受け取り率は十分には高くない。しかも、セットでの配布には、コストがかかる。さらに、販売促進品とチラシとのセットは、かさばる。
【０００４】
チラシを受け取った通行人は、チラシを見て商品内容等を記憶する。その後の比較的早期に、通行人はこのチラシを廃棄する。商品内容等は、やがて忘れられる。チラシによる広告宣伝効果は、長続きしない。
【０００５】
本発明の目的は、安価であり、かさばらず、かつ情報伝達効果が長続きするカード兼用ケースに関する。
【課題を解決するための手段】
【０００６】
本発明に係るカード兼用ケースは、背板と、この背板に連続する底板及び一対の側板と、この底板に連続する前板と、この前板に連続する内板と、それぞれが側板に連続する一対の差し込み板とを備える。このカード兼用ケースは、底板及び側板が背板から起立し、前板が底板から起立し、内板が前板から折り返され、差し込み板が前板と内板とに挟まれることにより、ケース状を呈する。このカード兼用ケースは、底板及び側板が背板から折り返され、前板が底板から延ばされ、内板が前板から折り返され、差し込み板が側板から延ばされ、内板が背板と側板とに挟まれ、側板及び差し込み板が前板と内板とに挟まれることにより、カード状を呈する。
【発明の効果】
【０００７】
このカード兼用ケースには、広告等の情報が記載されうる。このカード兼用ケースは、カード状を呈しうる。従って、このカード兼用ケースは、かさばらない情報伝達媒体として用いられうる。
【０００８】
このカード兼用ケースを受け取った者は、これをケース状に組み立てる。このケース状態であるカード兼用ケースには、小物等が収納されうる。このカード兼用ケースが収納用品として使用され続ければ、情報伝達効果が長続きする。
【０００９】
収納用品としての利用は、このカード兼用ケースの付加価値を高める。従って、カードがチラシとして用いられた場合、高い受け取り率が達成されうる。
【発明を実施するための最良の形態】
【００１０】
以下、適宜図面が参照されつつ、好ましい実施形態に基づいて本発明が詳細に説明される。
【００１１】
図１は、本発明の一実施形態に係るカード兼用ケース２が示された展開図である。図１に示された状態では、このカード兼用ケース２はシート状である。このカード兼用ケース２に、広告宣伝のための文字や、写真、イラスト、ロゴマーク等のイメージ等が印刷される。印刷が、カード兼用ケース２の両面になされてもよく、片面になされてもよい。
【００１２】
図１における二点鎖線は、折り曲げ線である。このカード兼用ケース２は、背板４、底板６、左右一対の側板８、前板１０、内板１２及び左右一対の差し込み板１４を備えている。背板４は、矩形である。底板６は矩形であり、背板４に連続している。側板８は台形であり、背板４に連続している。前板１０は矩形であり、底板６に連続している。前板１０は、底板６を挟んで、背板４とは反対に位置している。内板１２は矩形であり、前板１０に連続している。内板１２は、前板１０を挟んで、底板６とは反対に位置している。内板１２の形状及び寸法は、前板１０のそれとほぼ同等である。差し込み板１４は矩形であり、側板８に連続している。
【００１３】
このカード兼用ケース２は、シートが打ち抜かれることで得られうる。このカード兼用ケース２の材質は、通常は紙である。厚みが比較的厚い紙が、好適に用いられる。カード兼用ケース２が、合成樹脂、金属、皮革等からなってもよい。
【００１４】
図２は、図１のカード兼用ケース２が組み立てられた状態が示された斜視図である。図３は、図２のカード兼用ケース２が示された平面図である。図４は、図３のIV−IV線に沿った断面図である。
【００１５】
図２から４に示されるように、底板６及び側板８は、背板４から起立している。底板６の背板４に対する角度は、ほぼ直角である。側板８の背板４に対する角度も、ほぼ直角である。底板６及び側板８は、図４における上下方向に延在している。前板１０は、底板６から起立している。前板１０は、図４における左右方向に延在している。内板１２は、前板１０から折り返されている。内板１２は、前板１０と平行に延在している。差し込み板１４は、前板１０と内板１２とに挟まれている。差し込み板１４は、前板１０と平行に延在している。カード兼用ケース２は、全体としてケース状である。
【００１６】
差し込み板１４が前板１０と内板１２との間に挟まれることにより、この差し込み板１４の位置が保持されている。この保持により、前板１０が背板４から離間した状態が保たれている。背板４と前板１０との距離は、底板６の幅Ｗ１（図１参照）にほぼ等しい。背板４と前板１０との距離は、側板８の幅Ｗ２（図１参照）にもほぼ等しい。カード兼用ケース２は、背板４、底板６、一対の側板８及び前板１０に囲まれたスペース１６を備えている。カード兼用ケース２は、図４における左端に、開口１８を備えている。この開口１８を通して、スペース１６に、物が収納されうる。収納される物の一例としては、たばこのパッケージ、携帯電話機、名刺等が挙げられる。収納される物の重みが前板１０に加わっても、前板１０及び内板１２によって差し込み板１４が保持されているので、ケース形状が容易には崩れない。
【００１７】
図５は、図１のカード兼用ケース２が折りたたまれた状態が示された平面図である。図６は、図５のVI−VI線に沿った断面図である。
【００１８】
図５及び６に示されるように、底板６は背板４から折り返されている。底板６は、背板４と平行に延在している。側板８は、背板４から折り返されている。側板８は、背板４と平行に延在している。前板１０は、底板６から延ばされている。前板１０は、底板６とほぼ同一の平面内に位置している。前板１０は、背板４と平行に延在している。内板１２は、前板１０から折り返されている。内板１２は、背板４と平行に延在している。差し込み板１４は、側板８から延ばされている。差し込み板１４は、側板８とほぼ同一の平面内に位置している。差し込み板１４は、背板４と平行に延在している。内板１２は、背板４と側板８とに挟まれている。図６から明らかなように、内板１２の左端は、背板４からはみ出している。側板８及び差し込み板１４は、前板１０と内板１２とに挟まれている。
【００１９】
図５及び図６では、前板１０は背板４に接近している。背板４と前板１０との間には、スペースがほとんど存在しない。このカード兼用ケース２の総厚みＴ（図６参照）は、極めて薄い。このカード兼用ケース２は、全体としてカード状である。カード状であるときの全長Ｌ（図５参照）は、４ｃｍ以上１２ｃｍ以下が好ましく、７ｃｍ以上１０ｃｍ以下が特に好ましい。カード状であるときの幅Ｗ（図５参照）は、３ｃｍ以上８ｃｍ以下が好ましく、４ｃｍ以上７ｃｍ以下が特に好ましい。カード状であるときの総厚みＴは、０．１ｍｍ以上５ｍｍ以下が好ましく、０．２ｍｍ以上２ｍｍ以下が特に好ましい。
【００２０】
図２から４に示された状態から、図５及び６に示された状態への移行では、まず利用者が、図２において矢印に示される方向に、側板８を押す。底板６に対して起立していた側板８は、倒れ込む。次に利用者は、底板６と前板１０との境界近傍を、背板４に向けて押圧する。これにより、底板６が倒れ込む。同時に、内板１２が図４における左側にスライドする。これにより、カード兼用ケース２がカード状を呈する。
【００２１】
図５及び６に示された状態から、図２から４に示された状態への移行では、まず利用者が、前板１０と内板１２との境界近傍を、図６における右向きに押圧する。すると、内板１２が図６における右側にスライドする。利用者は、背板４と内板１２との間に指を入れる。利用者は、底板６及び側板８を、内側から押圧する。すると、背板４から折り返されていた底板６及び側板８が、背板４に対して起立する。これにより、カード兼用ケース２がケース状を呈する。
【００２２】
以下、このカード兼用ケース２が広告宣伝用に使用される方法の一例が説明される。まず、図５及び６に示されるような状態で、このカード兼用ケース２が街頭で配布される。カード兼用ケース２はカード状であるため、かさばらない。従って、配布者は容易にカード兼用ケース２を配布でき、これを受け取った通行人もカード兼用ケース２をポケット、かばん等に容易に収納できる。カード兼用ケース２には商品の内容等が記載されているので、これを見た通行人に商品のアピールがなされうる。カード兼用ケース２が、展開された状態で配布されてもよい。
【００２３】
カード兼用ケース２を持ち帰った者は、これを組み立て、図２から４に示されたケース状とする。そして、スペース１６に物を収納する。換言すれば、このカード兼用ケース２が、収納用品として利用される。単なるチラシと異なり、このカード兼用ケース２は長期間使用されうる。カード兼用ケース２に印刷された商品内容は、比較的長期間、観者の目にさらされる。換言すれば、カード兼用ケース２は、長期間にわたって広告宣伝効果を発揮する。
【００２４】
このカード兼用ケース２は、物の収納に利用されうるので、付加価値が高い。従って、通常のチラシに比べ、配布時の受け取り率が高い。配布者は、ティッシュペーパー等の販売促進品とセットにする必要がない。配布者は、低コストで広告宣伝を行うことができる。配布者は、新製品発売時のキャンペーンや、ブランド浸透を目的としたキャンペーンに、このカード兼用ケース２を用いることができる。このカード兼用ケース２は、公共機関からの情報発信ツールとしても、利用されうる。さらにこのカード兼用ケース２は、ノベルティグッズとしても利用されうる。
【産業上の利用可能性】
【００２５】
以上、チラシの代わりにカード兼用ケースが用いられる場合が一例とされて本発明が詳説されたが、このカード兼用ケースは、他の種々の用途に用いられうる。例えば、このカード兼用ケースが種々のチケットとして利用されてもよい。このカード兼用ケースが、即席写真の用紙として用いられてもよい。
【図面の簡単な説明】
【００２６】
【図１】図１は、本発明の一実施形態に係るカード兼用ケースが示された展開図である。
【図２】図２は、図１のカード兼用ケースが組み立てられた状態が示された斜視図である。
【図３】図３は、図２のカード兼用ケースが示された平面図である。
【図４】図４は、図３のIV−IV線に沿った断面図である。
【図５】図５は、図１のカード兼用ケースが折りたたまれた状態が示された平面図である。
【図６】図６は、図５のVI−VI線に沿った断面図である。
【符号の説明】
【００２７】
２・・・カード兼用ケース
４・・・背板
６・・・底板
８・・・側板
１０・・・前板
１２・・・内板
１４・・・差し込み板
１６・・・スペース
１８・・・開口
【図１】
2008056263.tif 000003
【図２】
2008056263.tif 000004
【図３】
2008056263.tif 000005
【図４】
2008056263.tif 000006
【図５】
2008056263.tif 000007
【図６】
2008056263.tif 000008